(57)【要約】【課題】  居室親機が玄関子機の照明手段を点滅させる場合でも簡易な制御で実施でき、更に照明手段の点滅と玄関子機カメラの撮像映像の録画を良好に実施させる。【解決手段】  玄関子機１はカメラ１３と夜間撮影のためのＬＥＤ１６と、夜間を判断するための明るさ判定回路１４とを備え、居室親機２はセキュリティセンサを接続するセキュリティ入力部２６と、カメラ１３の撮像映像を記憶するデータ保存部２４と、セキュリティセンサが異常発生を検知したらカメラ１３を起動して録画を行い、ＬＥＤ１６の点滅制御を行う親機ＣＰＵ２８とを備えている。親機ＣＰＵ２８によるＬＥＤ１６の点滅制御は、玄関子機１へ点滅コマンドを一定間隔で継続して送信することで実施し、子機ＣＰＵ１８は一定時間内に所定回数の点滅コマンドを受信したらＬＥＤ１６の点滅を開始し、一定時間に亘り点滅コマンドを受信しなかったら点滅を終了する。【選択図】  図１
2015226301.tif 000002
【特許請求の範囲】
【請求項１】
来訪者が居住者を呼び出して通話するための玄関子機と、呼び出しに居住者が応答するための居室親機とを備えたインターホン装置において、
前記玄関子機は、来訪者を撮像するためのカメラと、夜間撮影のための照明手段と、夜間を判断するための明るさ判定部と、前記照明手段を制御する照明制御部とを備える一方、
前記居室親機は、異常発生を検知するセキュリティセンサを接続するセキュリティ入力部と、前記カメラの撮像映像を記憶する録画部と、前記セキュリティセンサが異常発生を検知したら前記カメラを起動して前記録画部へ録画すると共に、前記照明手段の点滅制御を行うセキュリティ制御部とを備え、
前記セキュリティ制御部による前記照明手段の点滅制御は、前記玄関子機への単方向通信で実施されることを特徴とするインターホン装置。
【請求項２】
前記セキュリティ制御部による前記照明手段の点滅制御は、点滅コマンドを一定間隔で継続して送信することで実施し、
前記照明制御部は、一定時間内に所定回数の前記点滅コマンドを受信したら前記照明手段の点滅を開始し、一定時間に亘り前記点滅コマンドを受信しなかったら点滅を終了することを特徴とする請求項１記載のインターホン装置。
【請求項３】
前記照明制御部は、前記セキュリティ制御部が前記照明手段の点滅制御を実施しても、前記明るさ判定部が夜間であると判断したら前記カメラの撮像映像の録画を優先させ、当該録画を一定時間実施したら前記照明手段の点滅を開始することを特徴とする請求項１又は２記載のインターホン装置。
【請求項４】
前記居室親機は、前記セキュリティセンサが能動状態となる防犯モードに移行する防犯設定手段を有し、
前記セキュリティ制御部は、前記防犯モードへの移行操作を受けて、前記玄関子機での報音及び前記照明手段の点滅のうちの少なくとも一方により移行完了を報知させることを特徴とする請求項１乃至３の何れかに記載のインターホン装置。
【発明の詳細な説明】
【技術分野】
【０００１】
本発明はインターホン装置に関し、特にセキュリティセンサが異常を検知したら玄関子機の照明手段を点滅させるインターホン装置に関する。
【背景技術】
【０００２】
玄関子機に設けられている夜間撮影用の照明手段をセキュリティの目的で使用するインターホン装置がある。例えば特許文献１では、玄関子機に人感センサを備え、この人感センサが玄関に現れた不審者を検知したらカメラ照明用のＬＥＤを点滅動作させて威嚇し、更に玄関子機カメラを起動させて撮像画像を居室親機において録画するインターホン装置が開示されている。
【先行技術文献】
【特許文献】
【０００３】
【特許文献１】特開２００９−１８２６３９号公報
【発明の概要】
【発明が解決しようとする課題】
【０００４】
上記特許文献１では、不審者を検知したらＬＥＤを点滅させて威嚇する動作を実施するが、夜間のカメラ撮像時には通常点灯状態となるＬＥＤが点滅動作するため、映像の録画が難しく、点灯に連動させて撮像した画像を録画する静止画の録画が行われた。
また、玄関子機自身が不審者を検知して、不審者の存在を判断したら子機制御部が照明手段を点滅制御するため居室親機による制御が必要なく、簡易な制御で実施できた。
【０００５】
一方で、玄関先の異常検知だけでなく居室親機に接続されている窓センサ等のセキュリティセンサが異常を検知した場合にも玄関子機において照明手段を点滅させたい要望がある。この動作を実現するには、居室親機の制御で実施することになるが、確実な制御を行うためには居室親機から玄関子機に制御コマンドを送信した際に応答確認を行う双方向通信の実施が望ましく、通信回路が複雑になりコスト高となる問題があった。
【０００６】
そこで、本発明はこのような問題点に鑑み、居室親機が玄関子機の照明手段を点滅させる制御を実施する場合でも簡易な制御で実施でき、更に照明手段の点滅と玄関子機カメラの撮像映像の録画を良好に実施できるインターホン装置を提供することを目的としている。
【課題を解決するための手段】
【０００７】
上記課題を解決する為に、請求項１の発明は、来訪者が居住者を呼び出して通話するための玄関子機と、呼び出しに居住者が応答するための居室親機とを備えたインターホン装置において、玄関子機は、来訪者を撮像するためのカメラと、夜間撮影のための照明手段と、夜間を判断するための明るさ判定部と、照明手段を制御する照明制御部とを備える一方、居室親機は、異常発生を検知するセキュリティセンサを接続するセキュリティ入力部と、カメラの撮像映像を記憶する録画部と、セキュリティセンサが異常発生を検知したらカメラを起動して録画部へ録画すると共に、照明手段の点滅制御を行うセキュリティ制御部とを備え、セキュリティ制御部による照明手段の点滅制御は、玄関子機への単方向通信で実施されることを特徴とする。
この構成によれば、玄関子機の照明手段の点滅は、居室親機から玄関子機への単方向通信で制御されるため、通信回路の簡素化が可能となる。
【０００８】
請求項２の発明は、請求項１に記載の構成において、セキュリティ制御部による照明手段の点滅制御は、点滅コマンドを一定間隔で継続して送信することで実施し、照明制御部は、一定時間内に所定回数の点滅コマンドを受信したら照明手段の点滅を開始し、一定時間に亘り点滅コマンドを受信しなかったら点滅を終了することを特徴とする。
この構成によれば、制御が居室親機から玄関子機への単方向通信であっても、ノイズなどにより誤って１回点滅コマンドを受信しても動作せず、居室親機から点滅コマンドが送信されない限り点滅することはないし、点滅コマンドを止めると確実に玄関子機の点滅動作は終了する。よって、信頼性のある制御を実施できる。
【０００９】
請求項３の発明は、請求項１又は２に記載の構成において、照明制御部は、セキュリティ制御部が照明手段の点滅制御を実施しても、明るさ判定部が夜間であると判断したらカメラの撮像映像の録画を優先させ、当該録画を一定時間実施したら照明手段の点滅を開始することを特徴とする。
この構成によれば、夜間は異常発生に伴う照明手段の点滅を録画が終了するまで実施しないため、鮮明な映像を録画することができるし照明手段の点滅による異常発生の報知も実施できる。よって、不審者が玄関先に居る場合は夜間であっても確実に録画できるし、異常発生を住戸外に報知できる。
【００１０】
請求項４の発明は、請求項１乃至３の何れかに記載の構成において、居室親機は、セキュリティセンサが能動状態となる防犯モードに移行する防犯設定手段を有し、セキュリティ制御部は、防犯モードへの移行操作を受けて、玄関子機での報音及び照明手段の点滅のうちの少なくとも一方により移行完了を報知させることを特徴とする。
この構成によれば、防犯設定完了を玄関において認識でき、居住者は安心して外出できる。
【発明の効果】
【００１１】
本発明によれば、居室親機から玄関子機への単方向通信で照明手段の点滅制御を実施するため、通信回路の簡素化が可能となる。また、夜間は異常発生に伴う照明手段の点滅を録画終了まで実施しないため、映像を鮮明に録画することができるし、玄関先での異常発生の報知も実施できる。
【図面の簡単な説明】
【００１２】
【図１】本発明に係るインターホン装置の一例を示し、機器を回路ブロック図で示した構成図である。
【発明を実施するための形態】
【００１３】
以下、本発明を具体化した実施の形態を、図面を参照して詳細に説明する。図１は本発明に係るインターホン装置の構成図であり、１は玄関等の住戸外に設置されて来訪者が居住者を呼び出すための玄関子機、２は住戸内に設置されて玄関子機１からの呼び出しに応答するための居室親機であり、両者は２線から成る伝送線Ｌで接続されている。
【００１４】
玄関子機１は、呼出ボタン１１、通話するためのマイク１２ａ及びスピーカ１２ｂ、送受する音声信号を処理する音声処理回路１２、来訪者を撮像するためのカメラ１３、カメラ１３に内蔵された明るさ判定回路１４、カメラ１３が出力する映像信号の変調処理等の送信制御を行う映像処理回路１５、夜間照明及び警報発報手段として使用されるＬＥＤ１６、ＬＥＤ１６を駆動するＬＥＤ駆動回路１７、ＬＥＤ１６の点滅制御に加えて玄関子機１の各部の制御を行う子機ＣＰＵ１８、居室親機２と通信するための通信処理回路１９等を備えている。
【００１５】
居室親機２は、玄関子機１からの呼び出しに対する応答操作や各種設定操作を行う操作部２１、来訪者と通話するためのマイク２２ａ及びスピーカ２２ｂ、送受する音声信号を処理する音声処理回路２２、カメラ１３の撮像映像を表示するＬＣＤモニタ２３、映像等を保存するデータ保存部２４、異常発生を外部に通知するための非常ボタン２５、人感センサや窓センサ等のセキュリティセンサ（図示せず）を接続するセキュリティ入力部２６、受信した映像信号の復調処理等を行う映像処理回路２７、居室親機２の各部を制御する親機ＣＰＵ２８、玄関子機１と通信するための通信処理回路２９等を備えている。
【００１６】
上記の如く構成されたインターホン装置の動作は以下の様である。但し、呼出ボタン１１が操作された玄関子機１の呼出動作、呼び出しを受けて操作部２１が応答操作された居室親機２の動作は従来と同様であるため説明を省略し、ここでは、セキュリティ動作を中心に説明する。
操作部２１の所定の防犯設定操作により、親機ＣＰＵ２８は防犯モードに移行する。防犯モードに移行すると、セキュリティ入力部２６に接続されている図示しないセキュリティセンサがオン状態となり、異常を検知したら異常検知信号が居室親機２のセキュリティ入力部２６へ送信される。例えば、窓に取り付けられた窓センサは、窓が開操作されたらそれを検知して異常検知信号をセキュリティ入力部２６へ送信する。
【００１７】
この防犯設定操作は、外出等で居住者が不在となる際に実施され、居室親機２が防犯モードに設定されると、玄関子機１において設定完了が報知される。具体的に、親機ＣＰＵ２８が玄関子機１に対してＬＥＤ１６の点滅制御を所定時間実施させて防犯モードへの移行が完了したことを玄関子機１において報知動作させる。この動作により、防犯設定完了を玄関において通知するため、居住者はそれを玄関で認識でき安心して外出できる。
尚、この防犯設定完了の報知動作は、玄関子機１のスピーカ１２ｂを報音させて報知させても良いし、ＬＥＤ１６の点滅と報音の双方で報知させても良い。
【００１８】
防犯モードに移行した居室親機２は、異常検知信号を受信すると親機ＣＰＵ２８が玄関子機１に対して警報音を発報させると共に、ＬＥＤ１６の点滅を実施させる。なお、この玄関子機１での警報音の発報及びＬＥＤ１６の点滅は、非常ボタン２５の押下によっても実施でき、居住者が何らかの異常の発生を認識し、それを外部に通知したい場合に操作される。また、この防犯モードへの移行により、異常検知信号を受けた親機ＣＰＵ２８は、玄関子機１のカメラ１３の撮像を開始させ、その撮像映像を録画、即ちデータ保存部２４への映像保存も実施する。
【００１９】
以下、防犯モード状態にある居室親機２がセキュリティセンサから異常検知信号を受信した際の動作を具体的に説明する。異常検知信号を受信した居室親機２は、親機ＣＰＵ２８の制御により自身のスピーカ２２ｂから警報音を発報させる。そして、玄関子機１に対して警報音の発報とＬＥＤ１６の点滅を実施させ、更にカメラ１３を起動させて撮像映像の録画が行われる。
【００２０】
具体的に、警報音は例えば「ピー・・・」であり、親機ＣＰＵ２８の制御でこの警報音がスピーカ２２ｂから報音されると共に、この音信号が玄関子機１に送信される。また、カメラ１３の起動信号が送信される。但し、カメラ１３の起動信号は駆動電圧であり、居室親機２から伝送線Ｌに重畳される玄関子機１の電源電圧を昇圧することでカメラ１３は撮像を開始する。
居室親機２から玄関子機１へは、待受状態では例えば６ボルトの一定電圧が待受電圧として供給されているが、カメラ１３の駆動電圧はこの電圧より高く例えば１５ボルトとなっている。そのため、伝送線Ｌに重畳する電圧をカメラ１３が起動する所定値に上昇することで撮像が開始される。
この駆動電圧の供給は親機ＣＰＵ２８の制御で所定時間実施され、起動したカメラ１３の撮像映像は映像処理回路１５、伝送線Ｌを介して居室親機２へ伝送され、映像信号を受信した親機ＣＰＵ２８は、データ保存部２４に録画させる。
その後、所定時間が経過したら電路電圧は低下して待受電圧となり、カメラ１３の撮像は終了する。
【００２１】
また、カメラ１３が撮像を開始する際、明るさ判定回路１４が明るさを判定し、夜間であると判断したら子機ＣＰＵ１８の制御によりＬＥＤ１６が点灯され、カメラ１３の撮像が停止するまでＬＥＤ１６の点灯は継続される。
【００２２】
一方、ＬＥＤ１６の点滅は以下の様である。親機ＣＰＵ２８は、伝送線Ｌに重畳する直流電圧の昇圧と共に、ＬＥＤ１６を点滅させるための点滅指示コマンドを玄関子機１に送信する。この点滅指示コマンドは予め設定された一定時間継続して出力される。
子機ＣＰＵ１８は、この点滅指示コマンドを特定時間内（例えば２秒間）に所定回数受信したら点滅コマンドが送信されたと判断してＬＥＤ１６の点滅制御を開始する。ただし、上述したように、カメラ１３の撮像のためにＬＥＤ１６を点灯させたら、撮像が終了するまで点滅制御は行わない。
そして子機ＣＰＵ１８は、所定時間が経過してカメラ１３の撮像が終了したら、ＬＥＤ駆動回路１７に点滅信号を出力してＬＥＤ１６の点滅を開始する。但し、ＬＥＤ１６が点灯状態に無ければ、点滅コマンドが送信されたと判断した時点でＬＥＤ駆動回路１７に点滅信号を出力する。
【００２３】
親機ＣＰＵ２８が送信する点滅指示コマンドの継続時間は、カメラ１３が撮像を継続する所定時間より長く設定されており、夜間であってもＬＥＤ１６の点滅は確実に実施され、一定時間が経過したら点滅コマンド送信は終了し、ＬＥＤ１６の点滅も終了する。このとき子機ＣＰＵ１８は、特定時間（例えば２秒）に亘り点滅コマンドを受信しなかったら点滅終了と判断して点滅制御を終了する。
また、点滅指示コマンドの終了に合わせて音信号の送信も終了し、警報音の報音も終了する。
【００２４】
このように、玄関子機１のＬＥＤ１６の点滅は、居室親機２から玄関子機１への単方向通信で制御されるため、通信回路の簡素化が可能となる。例えば、シリアル通信機能（ＵＡＲＴ）を持たない安価なＣＰＵでも、３０ｂｐｓ程度の低ビットレートで、３ビット程度の短いデータコマンドを使用し、汎用ポートの定期間隔スキャンを行うことにより受信コマンドを認識することで、通信機能の実現が可能となり、子機ＣＰＵ１８のコストダウンを図ることが可能となる。尚、玄関子機１のカメラ１３を撮像動作させる制御は、従来より居室親機２から玄関子機１に対してカメラ駆動電圧を供給することで実施される単方向制御であり、複雑な通信は必要ない。
そして、ＬＥＤ１６の点滅制御が居室親機２から玄関子機１への単方向通信であっても、ノイズなどにより誤って１回点滅コマンドを受信しても動作せず、居室親機２から点滅コマンドが送信されない限り点滅することはないし、点滅コマンドを止めると確実にＬＥＤ１６の点滅動作は終了する。よって、信頼性のある制御を実施できる。
また、夜間は異常発生に伴う照明手段としてのＬＥＤ１６の点滅を録画終了まで実施しないため、映像を鮮明に録画することができる。よって、不審者が玄関先に居る場合は夜間であっても確実に録画できるし、異常発生を住戸外に報知できる。
更に、防犯設定の完了を玄関子機１が通知動作するため玄関において認識でき、居住者は安心して外出できる。
【００２５】
尚、異常検知信号を受けてＬＥＤ１６の点滅と警報音の報音を実施しているが、この報知動作は、ＬＥＤ１６の点滅のみであっても良い。また、上述した単方向通信による制御は、子機ＣＰＵ１８内のシフトレジスタに簡単な移動平均フィルタを構築することで、さらなる耐ノイズ性能の向上を計ることもできる。
【符号の説明】
【００２６】
１・・玄関子機、２・・居室親機、１１・・呼出ボタン、１３・・カメラ、１４・・明るさ判定回路（明るさ判定部）、１６・・ＬＥＤ（照明手段）、１８・・子機ＣＰＵ（照明制御部）、２１・・操作部（防犯設定手段）、２４・・データ保存部（録画部）、２５・・非常ボタン、２６・・セキュリティ入力部、２８・・親機ＣＰＵ（セキュリティ制御部）。
【図１】
2015226301.tif 000003